(57)【要約】【課題】少ない光源を用いて、光量が高く、且つ配光ムラの少ない線状光源を実現する。【解決手段】長尺透明部材の長手方向両端の面に配置された光源と、該長尺透明部材の中央部に配置された光源を有し、該長尺透明部材の側面と中央部下面から光を放出する線状光源において、前記長尺透明部材の発光面側に設けられ、且つ中央部の光源の直接光を減衰又は遮光するとともに、両側の発光部に近づくに従って対して減衰エリア又は遮光エリアが序序に小さくなるように構成された光減衰膜又は遮光膜有することを特徴とする線状光源。【選択図】　　　　図１
2004145112.tif 000002
【特許請求の範囲】
【請求項１】
長尺透明部材の長手方向両端の面に配置された光源と、該長尺透明部材の中央部に配置された光源を有し、該長尺透明部材の側面と中央部下面から光を放出する線状光源において、
前記長尺透明部材の発光面側に設けられ、且つ中央部の光源の直接光を減衰又は遮光するとともに、両側の発光部に近づくに従って対して減衰エリア又は遮光エリアが序序に小さくなるように構成された光減衰膜又は遮光膜有することを特徴とする線状光源。
【請求項２】
前記減衰膜又は遮光膜において、透明部材側は光反射層、反透明部材側は光減衰層又は遮光層で構成されていることを特徴とする請求項第１項記載の線状光源。
【発明の詳細な説明】
【０００１】
【発明の属する技術分野】
本発明は、線状光源に係り、特に複写機、ファクシミリ、スキャナ機器等の情報読取り装置に用いられる線状光源に関する。
【０００２】
【従来の技術】
図４は従来の線状光源の一例を示す斜視図である。
【０００３】
同図に示すように、従来の線状光源は、図６上にあるように電気配線９がなされた基板２上に点光源であるＬＥＤチップ３が直線状に実装された構成となっている。図上、電気配線９の電源入力端子８に電圧をかけてＬＥＤチップ３を発光させることで、線状光源としていた。
【０００４】
また、図５は、従来の線状光源の他の例の斜視図である。
【０００５】
同図において、１は長尺透明部材、５は光の放出方向を表わす。光の放出する面以外の面に鏡面処理等を施し、基板２上のＬＥＤチップ３から長尺透明部材１の端部から光を入射させ、この光を直接又は鏡面処理の施された反射面で反射することで、長尺透明部材１の外へ光を放出している。
【０００６】
【発明が解決しようとする課題】
しかしながら、上記従来例では、以下に述べるような解決すべき課題があった。
【０００７】
図７は図６のＣ方向から見た正面図及び照射面（図示せず）での光量分布図である。同図において、４は光量分布を示し、光源であるＬＥＤチップ３を直線状に配置しているために、ＬＥＤチップ３上面では、光量が大きくなり、ＬＥＤチップ間では光量が小さくなり、結果として、ＬＥＤチップ３の配置に対応する光量ムラが生じる。このような線状光源を用いて、画像情報を読取る場合、照射面からの反射光も図９と同様な光量ムラを生じ、階調を高めるためには、画像処理等の後処理に負担が大きかった。
【０００８】
また、図４では線状光源の長手方向の光放出特性は改善されるものの、さらに光量が必要な場合、両側の光源の光量を高く設定しても線状光源の中央部は光量が不足するという課題があった。
【０００９】
【課題を解決するための手段】
本発明の線状光源は、長尺透明部材の長手方向両端の面に配置された光源と、該長尺透明部材の中央部に配置された光源を有し、該長尺透明部材の側面と中央部下面から光を放出する線状光源において、前記長尺透明部材の発光面側に設けられ、且つ中央部の光源の直接光を減衰又は遮光するとともに、両側の発光部に近ずくに従って対して減衰エリア又は遮光エリアが序序に小さくなるように構成された光減衰膜または遮光膜有することを特徴とする。
【００１０】
また、前記光減衰膜又は遮光膜は透明部材側は光反射層、反透明部材側は光
減衰層又は遮光層で構成された減衰膜又は遮光膜であることを特徴とする。
【００１１】
（作用）
本発明の線状光源によれば、　長尺透明部材の長手方向両端の面に配置された光源と、該長尺透明部材の中央部に配置された光源を有し、該長尺透明部材の側面と中央部下面から光を放出する線状光源において、前記長尺透明部材の発光面側に設けられ、且つ中央部の光源の直接光を遮光するとともに、両側の発光部に近ずくに従って対して遮光エリアが序序に小さくなるように構成された光減衰膜又は遮光膜を有した線状光源を用いることにより、光放出特性が均一で且つ、光量の高い線状光源を少ない光源数で実現することができる。
【００１２】
【発明の実施の形態】
以下、本発明の実施例について図面を用いて詳細に説明する。
【００１３】
（実施例１）
図１は本発明の線状光源の第１実施例を示す斜視図である。図１において、１は長尺透明部材、２ａ、２ｂ、２ｃは基板、３ａ，３ｂ、３ｃは基板２ａ，２ｂ、２ｃにそれぞれ設けられたＬＥＤチップ、５は光を放出する方向である。長尺透明部材１の側面１ａは光放出面（光を放出する一部領域）側面１ｂ，１ｃ，１ｄは鏡面処理等がなされ、反射面となっている。
【００１４】
図２は図１の斜視図の⇒Ａ方向、Ｂ方向からそれぞれみた図面である。同図中６は長尺透明部材１の光放出面１ａに形成された遮光膜であり、長尺透明部材１側（裏面側）６ａには白色の印刷層があり反対側（表面側）６ｂには遮光できる銀色の印刷層が施されている。また光放出面１ａ上からみた遮光膜６の形状は、中央部のＬＥＤチップ３ｃ近傍では面積が大きく、両端のＬＥＤチップ３ａ，３ｂに近づくに従ってその面積が小さくなるようなひし形形状に形成されている。
また本実施例においては長尺透明部材１の光放出面１ａは図　に示すように断面形状はカマボコ形状になっており、光放出面１ａからの光が集光できる形状になっている。
【００１５】
長尺透明部材１の両端と中央部には光源であるＬＥＤチップ３ａ，３ｂが配置されており、両端のＬＥＤチップ３ａ、３ｂから放出された光は、長尺透明部材１の端部から入射され、入射光は直接側面１ａを透過するか、又は側面１ｂ，１ｃ，１ｄで反射されて側面１ａを透過して方向５に放出される。本実施例では、長尺透明部材１の中央部の断面を小さくするように、側面１ｄをテーパ形状としており、効率良く光を方向５に反射させることができる。なお、本実施例では、側面１ｄは一定角度に傾けているが特に一定角度とする必要はない。
【００１６】
また、ＬＥＤチップ３ｃは長尺透明部材１の中央部に配置され、ＬＥＤチップ３ｃから放出された光は長尺透明部材１の中央部から入射され、遮光膜６の裏面側の白色印刷面６ａで反射した光が側面１ｂ、１ｃ、１ｄで反射されて側面１ａを透過して方向５に放出される。ＬＥＤチップ３ａ、３ｂからの光量は長尺透明部材１の両端側が一番強く、中央部に行くに従って徐々に弱くなるような光量分布となっている。またＬＥＤチップ３ｃからの光量は長尺透明部材１の中央部分が最も強く、両側に行くに従って弱くなるような光量分布となるように構成されている。次に、これらのＬＥＤチップ３ａ、３ｂ、３ｃからの光量の合成された光量分布に関する説明を行う。
【００１７】
図３は、図１のＡ方向からの正面図及び、照射面（図示せず）での光量分布図である。同図中、４ａは光源２ａからの光量分布、４ｂは光源２ｂからの光量分布、４ｃは光源２ｃからの光量分布を表わし、４は２ａ、２ｂ、２ｃの３つの光源からの合成した光量分布である。図３に示すように、本実施例では、光源２ａからの光量分布と２ｂからの光量分布は長尺透明部材１の長手方向両端が高くなるようになり、光源２ｃからの光量分布は長尺透明部材１の長手方向の中央部分において高い分布となるように構成され、これらの光源の分布が合成されることにより長尺透明部材１の長手方向において、より光量が増大した均一な光量分布を得ることができる。
【００１８】
なお、遮光膜６の替わりに、減衰膜７（図示せず）を同様に設けて設けて光源近傍の光量を減少させてもよい。
【００１９】
【発明の効果】
以上、説明したように、本発明によれば、少ない数の光源を用いて、光量が高く、且つ照射面での光量ムラの少ない線状光源を低コストで実現が可能である。
【図面の簡単な説明】
【図１】本発明の実施例の斜視図。
【図２】実施例の正面図、側面図。
【図３】実施例の照射面の配光特性。
【図４】従来の実施例。
【図５】従来の他の実施例。
【図６】従来の実施例の配光特性。
【図７】本発明の光量分布図。
【図１】
2004145112.tif 000003
【図２】
2004145112.tif 000004
【図３】
2004145112.tif 000005
【図４】
2004145112.tif 000006
【図５】
2004145112.tif 000007
【図６】
2004145112.tif 000008
【図７】
2004145112.tif 000009